(57)【要約】【課題】より高い演出効果を発揮することで、各種パーティや結婚披露宴などを十分に盛り上げることができる炎色花火を提供する。【解決手段】本発明にかかる炎色花火１は、火花を発しつつ燃焼する花火部２と、有色炎を発しつつ燃焼する炎色部３とが接続されていることを特徴とする。【選択図】図１
2009063187.tif 000002
【特許請求の範囲】
【請求項１】
火花を発しつつ燃焼する花火部と、有色炎を発しつつ燃焼する炎色部とが接続されていることを特徴とする炎色花火。
【請求項２】
前記花火部が燃焼することにより発せられる火花は、放物状に落下することを特徴とする請求項１に記載の炎色花火。
【請求項３】
前記花火部は棒状に形成され、前記炎色部は筒状に形成され、花火部と炎色部とは、花火部の一端部が炎色部の一端部に挿入されて接続されており、炎色部の他端部の側面には、炎色部の内部と外部とを連通するガス抜部が設けられていることを特徴とする請求項１又は２に記載の炎色花火。
【発明の詳細な説明】
【技術分野】
【０００１】
本発明は、各種パーティや結婚披露宴などを盛り上げるために用いられる炎色花火に関する。
【背景技術】
【０００２】
従来、この種炎色花火としては、火花を発しつつ燃焼する棒状の花火部の一端部に、柄を取り付けたものが知られている。かかる炎色花火は、例えば各種パーティ会場や結婚披露宴会場などで使用するキャンドルの芯の近傍に柄を差込んで立設する。そして、花火部に点火すると、当該花火部が火花を発しつつ燃焼し、その後、キャンドルの芯に火が移って当該キャンドルに灯が点る。このように、花火部の燃焼による演出効果によって、各種パーティや結婚披露宴などを盛り上げることができる（下記特許文献１参照）。
【特許文献１】特開平１０−５５７０９号公報
【発明の開示】
【発明が解決しようとする課題】
【０００３】
しかしながら、上記従来の炎色花火にあっては、花火部の燃焼による演出効果しか得られず、盛り上がりに欠ける場合がある。
【０００４】
そこで、本発明は、上記実情に鑑みてなされ、より高い演出効果を発揮することで、各種パーティや結婚披露宴などを十分に盛り上げることができる炎色花火を提供することを課題とする。
【課題を解決するための手段】
【０００５】
本発明は、上記課題を解決すべくなされたものであり、本発明に係る炎色花火は、火花を発しつつ燃焼する花火部と、有色炎を発しつつ燃焼する炎色部とが接続されていることを特徴とする。
【０００６】
該構成の炎色花火にあっては、前記花火部と前記炎色部とが接続されているので、例えば、各種パーティ会場や結婚披露宴会場などで使用されるキャンドルに設置して点火すると、まず、花火部が燃焼して火花が発せられ、その後、炎色部が燃焼して有色炎が発せられる。即ち、花火部から炎色部へと順に燃焼することで火花と有色炎とが順に発せられる。そして、炎色部からキャンドルの芯に火が移って当該キャンドルに灯が点る。
【０００７】
特に、前記花火部が燃焼することにより発せられる火花は、放物状に落下することが好ましく、花火部の燃焼による火花をより美しく見せることができ、一層演出効果を高めることができる。
【０００８】
更に、前記花火部は棒状に形成され、前記炎色部は筒状に形成され、花火部と炎色部とは、花火部の一端部が炎色部の一端部に挿入されて接続されており、炎色部の他端部の側面には、炎色部の内部と外部とを連通するガス抜部が設けられていることが好ましい。
【０００９】
このように炎色部を筒状に形成することにより、例えば前記キャンドルの芯に炎色部を被せて設置することができるので、キャンドルの芯に確実に火を移すことができる。ここで、当該炎色花火は、筒状の炎色部の一端部に花火部の一端部を挿入してなるため、炎色部の一端部は花火部によって閉塞されている。そして、例えばキャンドルへの設置に際し、炎色部を下側にして立設すると、炎色部の他端部も閉塞されることとなり、炎色部の内部が密閉状態となる。そうすると、花火部の燃焼によって炎色部の内部にガスが充満してその内部圧力が上昇し、該圧力によって燃焼中の炎色花火が吹き飛んでしまう虞がある。そこで、筒状の炎色部の他端部側面に、炎色部の内部と外部とを連通するガス抜部が設けられることにより、当該内部のガスは、該ガス抜部から外部へと抜け出るので、内部の圧力上昇を抑制することができ、炎色花火が吹き飛んでしまうのを効果的に防止することができる。
【発明の効果】
【００１０】
このように、本発明に係る炎色花火にあっては、花火部と炎色部とが接続されているので、花火部から炎色部へと順に燃焼して火花と有色炎とが順に発せられ、花火部の火花による演出効果と炎色部の有色炎による演出効果とを得ることができてより高い演出効果を発揮することができる結果、各種パーティや結婚披露宴などを十分に盛り上げることができるという効果を奏する。
【発明を実施するための最良の形態】
【００１１】
以下、本発明に係る炎色花火の一実施形態について図面を参酌しつつ説明する。
図１（Ａ）及び（Ｂ）に、本実施形態における炎色花火１が示されている。該炎色花火１は、火花を発しつつ燃焼する花火部２と、有色炎を発しつつ燃焼する炎色部３とを備える。
【００１２】
花火部２は、棒状に形成されており、具体的には円柱状に形成されている。この花火部２は、火薬と炎色剤と金属粉と結合剤とを混合した練り火薬にて構成されており、燃焼することで発せられる火花が放物状に落下するように構成されている。尚、火薬は、硝酸アンモニウムや過塩素酸カリウムなどの酸化剤と、ポリプロピレンやポリエチレンなどの熱可塑性樹脂剤とを混合してなり、炎色剤は、硝酸バリウムや硝酸ストロンチウム或いは炭酸リチウムなどであり、金属粉は、マグネシウムやチタニウム或いはジルコニウムなどの微粉火花剤である。
【００１３】
炎色部３は、筒状に形成されており、具体的には円筒状に形成されている。尚、炎色部３の内径は、花火部２の外径と等しい或いは若干大きくなっている。また、炎色部３の一端部３１に、燃焼した際の炎の色を示す標示部（図示しない）を設けることもできる。
【００１４】
炎色部３の他端部３２には、炎色部３の内部と外部とを連通するガス抜部４が設けられている。本実施形態においては、図１（Ａ）及び（Ｂ）に示すように、炎色部３の他端部３２は、その径方向外側から内側へ向けて、且つ、一端側から他端側へ向けて斜めに切り欠かれたガス抜部４としての切欠部が設けられている。この切欠部は、炎色部３の軸線を介して一対設けられている。よって、炎色部３の他端部３２は、先端ほど先細りとなって尖っている。
【００１５】
また、炎色部３は、燃焼剤と炎色剤とからなり、燃焼することで有色の炎を発するように構成されている。具体的には、燃焼剤を溶剤に溶かして更に炎色剤を混合し、所定の形状に成形してなる。尚、燃焼剤は、ニトロセルロース粉末であり、炎色剤は、炭酸ストロンチウム、炭酸ナトリウム、硝酸銅、又は硝酸バリウムなどである。
【００１６】
かかる花火部２と炎色部３とは、花火部２の一端部２１が炎色部３の一端部３１に挿入されて接続されている。具体的には、炎色部３の筒形状を構成する孔の一端部に、花火部２の一端部２１を挿入し、互いを接着剤５にて接着している。よって、花火部２の軸線と炎色部３の軸線とは、ほぼ一致している。即ち、花火部２と炎色部３とは、同軸上に並んで接続されている。尚、接着剤５は、特に限定されないが、セルロース系の接着剤が好ましい。
【００１７】
以上のような構成の炎色花火１は、例えば、各種パーティ会場や結婚披露宴会場などで使用されるキャンドル６に設置して使用される。具体的には、図２乃至４に示すように、花火部２を上側に炎色部３を下側にして、前記キャンドル６の芯６１に炎色部３を被せるように、炎色部３の他端部３２をキャンドル６の蝋部６２に差し込む。このとき、前記ガス抜部４（切欠部）の一部が外部に露出するように差し込む。尚、炎色部３の他端部３２は、上述のように先細りに尖っているので、前記蝋部６２に差し込み易く、炎色花火１を安定して立てることができる。
【００１８】
そして、花火部２に点火すると、図２に示すように、該花火部２が燃焼して放物状に火花が発せられる。ここで、炎色部３の他端部３２にはガス抜部４が設けられているので、花火部２の燃焼によって炎色部３内部にてガスが発生しても、当該ガスはガス抜部４から外部へ抜け出て、花火部２の燃焼による炎色部３内部の圧力上昇を抑制することができ、炎色花火１が吹き飛んでしまうのを効果的に防止することができる。
【００１９】
花火部２の燃焼が進むと、図３に示すように、炎色部３が燃焼する。かかる燃焼によって、有色の炎が発せられる。尚、図３では、炎色部３の燃焼により発せられる炎を網掛けにて示している。
【００２０】
炎色部３の燃焼が進むと、図４に示すように、該燃焼の炎が前記キャンドル６の芯６１に引火してキャンドル６に灯が点る。
【００２１】
以上のような構成の炎色花火１にあっては、花火部２と炎色部３とが接続されているので、花火部２から炎色部３へと順に燃焼して火花と有色炎とが順に発せられ、花火部２の火花による演出効果と炎色部３の有色炎による演出効果とを得ることができてより高い演出効果を発揮することができ、各種パーティや結婚披露宴などを十分に盛り上げることができる。
【００２２】
また、花火部２が燃焼することにより発せられる火花は、放物状に落下するので、花火部２の燃焼による火花をより美しく見せることができ、一層演出効果を高めることができる。
【００２３】
尚、本実施形態では、炎色部３の他端部３２にガス抜部４としての切欠部が設けられている場合について説明したが、これに限らず、例えば、図５に示すように、炎色部３の他端部３２側面にガス抜部４として通気孔を設けてもよい。
【図面の簡単な説明】
【００２４】
【図１】本発明の一実施形態に係る炎色花火を示す図であり、（Ａ）は正面図、（Ｂ）は部分側面図。
【図２】同炎色花火の花火部が燃焼する様子を示す図。
【図３】同炎色花火の炎色部が燃焼する様子を示す図。
【図４】キャンドルに火が点った状態を示す図。
【図５】本発明の炎色花火の他の実施形態を示す正面図。
【符号の説明】
【００２５】
１…炎色花火、２…花火部、３…炎色部、４…ガス抜部、５…接着剤、６…キャンドル、２１…花火部の一端部、３１…炎色部の一端部、３２…炎色部の他端部、６１…芯、６２…蝋部
【図１】
2009063187.tif 000003
【図２】
2009063187.tif 000004
【図３】
2009063187.tif 000005
【図４】
2009063187.tif 000006
【図５】
2009063187.tif 000007